(57)【特許請求の範囲】
【請求項１】
便器上に載置される本体と、
前記本体に起倒自在に枢支された便座と、
人体局部を洗浄する洗浄手段と、
前記本体に内蔵され、水を静電霧化して生成した帯電微粒子水を前記本体よりトイレルーム空間に吐出する静電霧化装置と、を含み、
前記静電霧化装置は、前記本体外部から空気を吸引する吸気口と、前記帯電微粒子水を含む空気を前記本体外部に吐出する吐出口と、前記吸気口と前記吐出口を連通する風路を形成するケースと、前記吸気口から吸引した空気を送給する送風装置と、帯電微粒子水を生成する静電霧化ユニットと、を備え、
前記静電霧化ユニットから前記吐出口までの前記風路は、上下方向と前後方向に略Ｌ字型に折れ曲がった吐出ダクトスペースが形成され、前記吐出ダクトスペースの上下方向の部分に両側壁から突出した障壁を備え、
前記障壁は前記吐出ダクトスペースの中央部で上下に間隔を設けて一部が重なり合って状態で設置され、
前記ケースの前記吐出口の近傍に位置する前記吐出ダクトスペースの下端に設けられた点検開口と、前記点検開口を閉塞する着脱自在の点検蓋を備え、
前記点検蓋を取り外した状態で前記本体の外部から前記吐出口近傍の前記ケース内部を点検および清掃することが可能な構成とし、
前記点検蓋を取り外した状態で、前記吐出ダクトスペースの下端に設けられた前記点検開口から進入した水が、前記障壁により前記吐出ダクトスペースの奥まで直接浸入することが防止されることにより、前記静電霧化ユニットの損傷および漏電の発生が防止されることを特徴とする、
衛生洗浄装置。
【請求項２】
前記点検蓋は、前記ケース内を送給される前記帯電微粒子水を含む空気の向きを変更する風向変更部を備えた、
請求項１に記載の衛生洗浄装置。
【発明の詳細な説明】
【技術分野】
【０００１】
本発明はトイレルーム内の臭気物質の脱臭機能と細菌類の除菌機能を備えた衛生洗浄装置に関するものである。
【背景技術】
【０００２】
従来、トイレルーム内で発生する各種の臭気物質の脱臭やかび等の発生源となる細菌の除菌の方法としては、排便に伴い便器内で発生する臭気の直接的な脱臭と、トイレルーム内に拡散して壁や床に付着蓄積した臭気物質や細菌の分解除去の両面に対して実施されている。
【０００３】
排便に伴う臭気の脱臭方法としては、衛生洗浄装置に内蔵した送風機で吸引した便器内の空気を多孔質の脱臭剤を通過させることにより、臭気物質を分解除去して脱臭した空気をトイレルーム内に放出させている（例えば、特許文献１参照）。
【０００４】
また、トイレルームの壁や床に付着蓄積した臭気物質や細菌類の分解除去の方法としては、トイレルーム内の壁面に静電霧化装置を設置し、空気中の水分を結露させた水に高電圧を印加することにより、ナノメータサイズの帯電微粒子水を生成してトイレルーム内に放出し、壁や床面に付着した臭気物質や菌類を分解することにより脱臭および除菌しているものもある（例えば、特許文献２参照）。
【０００５】
また、便器内の臭気の脱臭とトイレルーム内の臭気物質や菌類の脱臭および分解除去を行うために、便座装置に霧化発生装置を内蔵し、霧化発生装置で発生したナノメータサイズのミストを、便器内とトイレルーム内の両方に放出しているものもある（例えば、特許文献３参照）。
【先行技術文献】
【特許文献】
【０００６】
【特許文献１】特開２００３−２１３７６２号公報
【特許文献２】特開２００９−２９９４６６号公報
【特許文献３】特開２００５−１５５１５０号公報
【発明の概要】
【発明が解決しようとする課題】
【０００７】
しかしながら、例えば、特許文献１の構成であれば、排便に伴う便器内で発生する臭気を短時間に脱臭することが可能であるが、便器内から放散した臭気物質や便器外に飛散した小便等から発生する臭気に対する脱臭作用はないため、トイレルームの使用期間が長くなれば臭気物質が蓄積されることにより臭気が強くなる。
【０００８】
また、例えば、特許文献２の構成であれば、トイレルームの壁面や床面に付着した臭気物質や細菌の分解除去は可能であるが、便器内で発生する臭気の除去に対しては効果がない。また、特許文献１の構成の衛生洗浄装置と組み合わせて使用した場合においても、２個の装置が独立して動作するため相乗的な効果を期待することができず、無駄なエネルギー消費につながる可能性がある。
【０００９】
また、例えば、特許文献３の構成であれば、便器内とトイレルーム内の両方の臭気を脱臭する機能を備えた構成であるが、便器内の臭気とトイレルーム内の臭気では、臭気物質の量および臭気物質の割合が異なり、同一の脱臭手段で脱臭した場合、一方の脱臭性能が十分に得られず満足できるものではない。また、便器内の脱臭においては、ミストを便器内に放出することにより便器内の臭気物質の一部を便器外に排出してしまうこともあり、臭気物質がトイレルーム内に放散されることも懸念される。
【００１０】
上記いずれの背景技術においても、トイレルーム内で行われる正常な用便動作で発生する臭気物質に対して効果が得られるものであるが、異常または異常に近い用便動作に伴って発生する臭気に対しては十分な脱臭効果を発揮することができないことが懸念される。特に子供のいたずらや用便動作の失敗等により脱臭用機器自体が大便または小便で汚染された場合、脱臭用機器自体が臭気の発生源となることも懸念される。
【００１１】
上記のように、トイレルーム内全体の脱臭を効果的に実施しようとした場合、排便に伴う臭気と、トイレルームに壁面や床面に付着した臭気と、脱臭用機器に付着した臭気は、臭気物質の量および割合が異なり、また発生時期と脱臭処理すべき時間が異なるため、同一の脱臭手段で実施した場合、十分な効果を得ることができないという課題を有していた。
【００１２】
本発明は、前記従来の課題を解決するもので、特にトイレルーム内の壁面や床面また脱臭用機器に臭気物質が付着蓄積されることを抑制するとともに、蓄積された臭気物質に対して脱臭機能をシステム的に作用させることにより、トイレルーム全体の脱臭を長期間に亘り効果的に実施する衛生洗浄装置を提供することを目的とする。
【課題を解決するための手段】
【００１３】
前記従来の課題を解決するために、本発明の衛生洗浄装置は、便器上に載置される本体と、本体に起倒自在に枢支された便座と、人体局部を洗浄する洗浄手段と、本体に内蔵され、水を静電霧化して生成した帯電微粒子水を本体よりトイレルーム空間に吐出する静電霧化装置とを含み、静電霧化装置は、本体外部から空気を吸引する吸気口と、帯電微粒子水を含む空気を前記本体外部に吐出する吐出口と、吸気口と吐出口を連通する風路を形成するケースと、吸気口から吸引した空気を送給する送風装置と、帯電微粒子水を生成する静電霧化ユニットとを備え、ケースの吐出口の近傍に着脱自在の点検蓋を備え、点検蓋を取り外した状態で本体の外部から吐出口近傍のケース内部を点検および清掃することが可能な衛生洗浄装置である。
【００１４】
これにより、静電霧化装置により帯電微粒子水をトイレルーム空間に放散することにより、トイレルーム空間に浮遊している臭気物質や、壁面、天井面、床面に付着している臭気物質を分解して臭気を除去することができ、また、本体特に静電霧化装置の吐出口が直接小便等で汚染された場合、点検蓋を取り外してケース内部を清掃することができるので、静電霧化装置の内部に汚染物資が蓄積されることがなく、トイレルーム全体の臭気を長期間に亘り抑制することができるものである。
【発明の効果】
【００１５】
本発明の衛生洗浄装置は、用便中に発生する臭気とトイレ空間に付着している臭気を効果的に除去し、トイレルーム内の臭気を長期間に亘り抑制することができる。
【図面の簡単な説明】
【００１６】
【図１】本発明の実施の形態１における衛生洗浄装置の外観を示す斜視図
【図２】本発明の実施の形態１における本体のカバーを取り外した状態の平面図
【図３】本発明の実施の形態１における本体のカバーを取り外した状態の側面図
【図４】図２のＡＡで示す脱臭装置の断面図
【図５】図２のＢＢで示す静電霧化装置の断面図
【図６】図２のＣＣで示す静電霧化装置の断面図
【図７】本発明の実施の形態１における静電霧化装置の点検蓋の斜視図
【図８】本発明の実施の形態１における静電霧化装置の静電霧化ユニットの正面図
【発明を実施するための形態】
【００１７】
第１の発明は、  便器上に載置される本体と、前記本体に起倒自在に枢支された便座と、人体局部を洗浄する洗浄手段と、前記本体に内蔵され、水を静電霧化して生成した帯電微粒子水を前記本体よりトイレルーム空間に吐出する静電霧化装置とを含み、前記静電霧化装置は、前記本体外部から空気を吸引する吸気口と、前記帯電微粒子水を含む空気を前記本体外部に吐出する吐出口と、前記吸気口と前記吐出口を連通する風路を形成するケースと、前記吸気口から吸引した空気を送給する送風装置と、帯電微粒子水を生成する静電霧化ユニットとを備え、前記静電霧化ユニットから前記吐出口までの前記風路は、上下方向と前後方向に略Ｌ字型に折れ曲がった吐出ダクトスペースが形成され、前記吐出ダクトスペースの上下方向の部分に両側壁から突出した障壁を備え、前記障壁は前記吐出ダクトスペースの中央部で上下に間隔を設けて一部が重なり合って状態で設置され、前記ケースの前記吐出口の近傍に位置する前記吐出ダクトスペースの下端に設けられた点検開口と、前記点検開口を閉塞する着脱自在の点検蓋を備え、前記点検蓋を取り外した状態で前記本体の外部から前記吐出口近傍の前記ケース内部を点検および清掃することが可能な構成とし、前記点検蓋を取り外した状態で、前記吐出ダクトスペースの下端に設けられた前記点検開口から進入した水が、前記障壁により前記吐出ダクトスペースの奥まで直接浸入することが防止されることにより、前記静電霧化ユニットの損傷および漏電の発生が防止されることを特徴とする、衛生洗浄装置である。
【００１８】
これにより、静電霧化装置により帯電微粒子水をトイレルーム空間に放散することにより、トイレルーム空間に浮遊している臭気物質や、壁面、天井面、床面に付着している臭気物質を分解して臭気を除去することができ、また、本体特に静電霧化装置の吐出口が直接小便等で汚染された場合、点検蓋を取り外してケース内部を清掃することができるので、静電霧化装置の内部に汚染物資が蓄積されることがなく、トイレルーム全体の臭気を長期間に亘り抑制することができるものである。また、点検蓋を取り外した状態においても、障壁により点検開口から侵入した水が吐出ダクトスペースの奥まで直接侵入して静電霧化ユニットを損傷したり漏電等の異常が発生することが防止される。
【００１９】
第２の発明は、特に、第１の発明において、前記点検蓋は、前記ケース内を送給される前記帯電微粒子水を含む空気の向きを変更する風向変更部を備えたものである。
【００２０】
これにより、風向変更部の形状を変更することにより、吐出口から吐出する帯電微粒子水を含む空気の吐出方向変更することが可能となり、トイレルームの形状や広さに合わせて吐出方向を調整することが可能となる。
【００２１】
以下、本発明の実施の形態について、図面を参照しながら説明する。なお、この実施の形態によって本発明が限定されるものではない。
【００２２】
（実施の形態１）
図１は本実施の形態における衛生洗浄装置を便器上に設置した状態の外観の斜視図を示し、図２は衛生洗浄装置の本体のカバーを取り外した状態の平面図を示し、図３は本体のカバーを取り外した状態の左側の側面図を示すものである。
【００２３】
＜１＞衛生洗浄装置の構成
図１に示すように、衛生洗浄装置１００は、本体２００、便蓋２１０、便座２２０、リモートコントローラ３００、人体検知センサ３１０により構成され、本体２００、便蓋２１０、便座２２０は一体で構成され便器１１０の上面に設置される。
【００２４】
なお、本実施の形態においては衛生洗浄装置１００の本体２００の設置側を後方、便座２２０の設置側を前方とし、後方に向かって右側を右側、後方に向かって左側を左側として各構成要素の配置を説明する。
【００２５】
本体２００には、便蓋２１０および便座２２０が便座便蓋回動機構（図示せず）を介して開閉可能に取り付けられている。図１に示すように便蓋２１０を開放した状態においては、便蓋２１０は衛生洗浄装置１００の最後部に位置するように起立する。また、便蓋２１０を閉成すると便座２２０の上面を隠蔽する。便座２２０は便座ヒータ（図示せず）を内蔵しており、便座の着座面が快適な温度になるように加熱する。
【００２６】
本体２００の前面コーナー部には着座検知センサ２３０が設置してある。この着座検知センサ２３０は反射型の赤外線センサであり、人体から反射された赤外線を検出することにより便座２２０上に使用者が存在することを検知する。
【００２７】
本体２００の右側には本体２００と一体に袖部２４０が突出して形成されており、袖部２４０の上面には衛生洗浄装置１００の各機能を操作する複数の操作スイッチ２４１と表示装置２４２が設置されており、袖部２４０の内部には静電霧化装置８００が内蔵されている。
【００２８】
リモートコントローラ３００には、複数の操作スイッチ３０１が設けられている。リモートコントローラ３００は便座２２０上に着座した使用者が操作可能なトイレルームの壁面等の場所に取り付けられ、衛生洗浄装置１００の各機能の操作を行う。
【００２９】
人体検知センサ３１０はトイレルームの壁面等に取り付けられる。人体検知センサ３１０は、反射型の赤外線センサであり、人体から反射された赤外線を検出してトイレルーム内に使用者が入室したことを検知する。
【００３０】
本発明の衛生洗浄装置１００はトイレルームに使用者が存在しない場合は、便座ヒータへの通電を停止、もしくは２０℃程度の低温に保温している。トイレルームに使用者が入室すると、人体検知センサ３１０からの信号を受け、便座ヒータに通電を行う。便座ヒータは８００Ｗ程度の非常に高出力のヒータであり、使用者がトイレルームに入室してから便座に着座するまでの６秒から１０秒程度の間に、便座２２０の着座面を４０℃程度の適温に温める。便座が適温に達した後は、便座ヒータへの通電を５０Ｗ程度の低ワットに下げ、適温を保つ。使用者がトイレルーム内から出ると、便座ヒータへの通電を停止、もしくは２０℃程度の低温保温となる。つまり、トイレルームに使用者がいないときの電力を大幅に削減した便座装置である。
【００３１】
図２に示すように、本体２００の内部には、中央部に洗浄ノズルユニット４００が設置されており、本体２００の右側には乾燥装置５００と脱臭装置６００と制御部７００等が設置してある。また、本体２００の左側には、洗浄水供給機構４５０と熱交換器４６０と静電霧化装置８００等が設置してある。洗浄ノズルユニット４００と洗浄水供給機構４５０と熱交換器４６０とで人体局部を洗浄する洗浄手段を構成している。
【００３２】
洗浄水供給機構４５０と熱交換器４６０は洗浄ノズルユニット４００に接続されており、水道配管から供給される洗浄水を熱交換器４６０で加熱した温水を洗浄ノズルユニット
４００に供給し、洗浄ノズル４１０から使用者の局部に向けて温水を噴出し、使用者の局部を洗浄するものである。
【００３３】
洗浄ノズルユニット４００は、お尻を洗浄するお尻洗浄ノズル部と女性の局部を洗浄するビデノズル部を有する洗浄ノズル４１０と、洗浄ノズルを本体２００内に収容した収納位置と本体２００から突出して洗浄動作を行う洗浄位置との間を進退移動する駆動手段（図示せず）と、熱交換器４６０からの洗浄水を洗浄ノズル４１０に切換えて供給する切換弁（図示せず）等が一体に組み込まれている。
【００３４】
乾燥装置５００は、洗浄ノズルユニット４００に近接して設置されている。乾燥装置５００の噴出口は、使用者の局部を効果的に乾燥するため可能な限り本体２００の中央に配置することが望ましく、ケーシング５１０の前方を中央に向けて湾曲させた形状を成している。
【００３５】
乾燥装置５００の後方には制御部７００が、側方には脱臭装置６００が設置されている。脱臭装置６００は、便器１１０内の臭気を吸引するために、吸込口を本体２００の中央に向けて湾曲させて設けてある。
【００３６】
制御部７００は、リモートコントローラ３００に配置され操作スイッチ３０１と袖部２４０に配置された操作スイッチ２４１の操作信号と、人体検知センサ３１０および着座検知センサ２３０から送信される信号に基づいて衛生洗浄装置１００の各部の動作を制御する。
【００３７】
＜２＞脱臭装置の構成
図４は図２のＡＡで示す本体に内蔵された脱臭装置の断面図を示すものである。
【００３８】
脱臭装置６００は風路を形成するダクト６１０と、ダクト６１０の内部に配設され臭気を脱臭する脱臭体６２０と、臭気を吸引するシロッコファンによる送風機６３０とを主構成部材として構成されている。
【００３９】
ダクト６１０の一端は本体２００の便器内に対向する底面に吸気口６１１を開口し、他端は本体２００の後面に排気口６１２を開口している。ダクト６１０の吸気口６１１側から脱臭体６２０と送風機６３０が順次配置されている。
【００４０】
脱臭体６２０は本体２００の外面から着脱自在に装着されており、脱臭体６２０はハニカム状の断面形状をしており、臭気物質を含んだ空気がハニカム孔の上流側から下流側に通過する間に臭気物質が孔壁に吸着し脱臭体６２０の触媒作用により分解除去される。
【００４１】
脱臭体は、シリカ、アルミナ、カーボン等を主成分とするものであり、悪臭の代表とされる腐卵臭の主な臭気物質である硫化水素や、タマネギやキャベツ等の腐敗臭の臭気物質であるメチルメルカプタン等の臭気物質を触媒作用により分解除去を行う。
【００４２】
＜３＞静電霧化装置の構成
図５は図２のＢＢで示す静電霧化装置の断面図であり、静電霧化装置の吸気ダクトスペースの断面図を示すものである。図６は図２のＣＣで示す静電霧化装置の断面図であり、静電霧化装置の主要部分の断面を示すものである。図７は静電霧化装置のケースに付属する点検蓋の斜視図であり、図８静電霧化装置の静電霧化ユニットの正面図を示すものである。
【００４３】
図１および図２に示すように静電霧化装置８００は本体２００の側部に一体に設けられ
た袖部２４０の内部に設置されており、袖部２４０の底部よりトイレルーム内の空気を吸引し、袖部２４０の前面下端部より前方に向かって帯電微粒子水を含む空気をトイレルーム空間に吐出する構成となっている。
【００４４】
図６に示すように静電霧化装置８００は、風路を形成するケース８１０と、ケース８１０の内部に配設され外気を吸引するシロッコファンによる送風機８２０と、帯電微粒子水を生成する静電霧化ユニット８３０とを主構成部材として構成されている。
【００４５】
図５に示すようにケース８１０は後方の下面に設けた吸気口８１１から吸引した空気を送給する吸気ダクトスペース８１２と、図６に示すように送風機８２０を収容する送風機スペース８１３と、中央部に静電霧化ユニット８３０を配置する静電霧化スペース８１４と、前方下方に略Ｌ字型に折れ曲がった吐出ダクトスペース８１５と、吐出ダクトスペース８１５の終端は本体２００の前方に向けて開放された吐出口８１６が設けられている。
【００４６】
吸気口８１１の外方には網目状のフィルタ８５０が着脱可能に設置されており、吸気する空気に含まれる塵埃を除去する構成となっている。また、吐出口８１６の外方にはルーバ８５１が設置されており、吐出口８１６から異物が進入することを抑制する構成となっている。
【００４７】
吸気ダクトスペース８１２と送風機スペース８１３は左右に重なりあって配置されており、吸気ダクトスペース８１２を通過して空気は送風機スペース８１３の略中央から送風機８２０に吸引される構成となっている。
【００４８】
図５に示すように、吸気ダクトスペース８１２には両側壁から突出した３個の障壁８１２ａ、８１２ｂ、８１２ｃが設けられており、３個の障壁８１２ａ、８１２ｂ、８１２ｃは中央部で一部が重なり合って状態で設置されており、吸気口８１１から進入した水や異物が障壁８１２ａ、８１２ｂ、８１２ｃに当たることによって直接奥に侵入して送風機８２０等を損傷したり漏電等の異常が発生すること防止する構成となっている。
【００４９】
また図６に示すように、吸気ダクトスペース８１２と同様に、吐出ダクトスペース８１５にも両側壁から突出した障壁８１５ａ、８１５ｂが設けられており、２枚の障壁８１５ａ、８１５ｂは中央部で一部が重なり合って状態で設置されており、点検開口８１７から進入した水や異物が直接奥に侵入して静電霧化ユニット８３０等を損傷したり漏電等の異常が発生することを防止する構成となっている。
【００５０】
吸気ダクトスペース８１２に設けた障壁８１２ａ、８１２ｂ、８１２ｃと吐出ダクトスペース８１５に設けた障壁８１５ａ、８１５ｂは、いずれもスムーズな送風が行えるように湾曲した形状に形成されている。
【００５１】
吐出口８１６近傍の吐出ダクトスペース８１５底面には略長方形の点検開口８１７が設けられており、点検開口８１７は通常は着脱可能な点検蓋８４０で閉塞されており、例えば吐出口８１６から進入した汚水等で吐出ダクトスペース８１５が汚染された場合には、点検蓋８４０を取り外して吐出ダクトスペース８１５と点検蓋８４０の清掃を行うことができる。点検蓋８４０を取り外した状態においても、障壁８１５ａ、８１５ｂにより点検開口８１７から侵入した水や異物が奥まで侵入することが防止される。
【００５２】
図７に示すように、点検蓋８４０は略長方形の形状であり、後縁部には上下に異なる位置に設けたリブで形成した係合部８４１と、前縁部には樹脂材料の弾性を利用して変形可能なストッパ８４２が形成されている。点検蓋８４０の中央部から後方は上方に向かって湾曲した局面が形成された風向変更部８４３が形成ており、上方から送給された空気が前
方に向かってスムーズに風向が変更されるようになっている。
【００５３】
この風向変更部８４３の形状を変更することにより、吐出口８１６から吐出する風向を変更することができる。したがって風向変更部８４３の異なる形状の点検蓋８４０を複数個あらかじめ準備しておけば、衛生洗浄装置１００の設置後トイレルームの形状や広さに合わせて風向きを変更することが可能である。
【００５４】
点検蓋８４０の係合部８４１を点検開口８１７の開口縁に係合し、前部を点検開口８１７に押し付けることによりストッパ８４２が点検開口８１７の前縁に係合されることにより、点検開口８１７を閉塞することができる。また、点検蓋８４０を取り外す場合はストッパ８４２を後方に押し込むことによりストッパ８４２と点検開口８１７との係合が開放され点検蓋８４０を取り外すことができる。
【００５５】
静電霧化ユニット８３０は図６に示すように、空気中の水分を結露させて水を生成する結露水生成部８３１と、生成された水に電圧を印加する霧化電極８３２と、霧化電極８３２に対向して設けられた対極電極８３３とで構成されている。
【００５６】
結露水生成部８３１は、冷却基板８３５ａと放熱基板８３５ｂとを有するペルチェ素子８３５と、ペルチェ素子８３５の放熱基板８３５ｂに連接されたアルミニウム製の放熱フィン８３６から成る。ペルチェ素子８３５には通電用のリード線８３５ｃとコネクタ８３５ｄが接続されており、コネクタ８３５ｄを介して制御部７００と電気的に接続されておいる。ペルチェ素子８３５には制御部７００により０〜１Ｖ程度の直流電流が印加される。
【００５７】
ペルチェ素子８３５の冷却基板８３５ａには尖鋭形状の霧化電極８３２が設置されており、ペルチェ素子８３５の冷却基板８３５ａに結露した水が霧化電極８３２に搬送される構成となっている。
【００５８】
尖鋭形状の霧化電極８３２と対向する位置に、霧化電極８３２を包囲するように略ドーム状の対極電極８３３が配置されており、霧化電極８３２と対極電極８３３にはそれぞれ通電用の接続端子８３２ａ、８３３ａが設けられており、接続端子８３２ａ、８３３ａを介して制御部７００と電気的に接続されている。霧化電極８３２と対極電極８３３間には制御部７００により約３５００Ｖの直流電流が印加される。
【００５９】
なお、本実施の形態における静電霧化装置８００の静電霧化ユニット８３０にはペルチェ素子８３５を備えた結露水生成部８３１により空気中から水を供給しているが、水の供給はこの方法に限るものではなく、予め貯水した水を霧化電極に供給する構成でも帯電微粒子水の生成は可能である。
【００６０】
＜４＞衛生洗浄装置の動作および作用
次に、上記構成の衛生洗浄装置の動作および作用について説明する。
【００６１】
使用者がトイレルームに入室し、人体検知センサ３１０が人体を検知すると、人体検知センサ３１０の信号により、制御部７００は便座便蓋回動機構を駆動して便蓋２１０を開放するするとともに、便座２２０の便座ヒータへの通電を開始して便座２２０の着座面が着座に適した４０℃程度になるように、１０秒以内に昇温させる。
【００６２】
使用者が、便座２２０に着座すると、着座検知センサ２３０が着座を検知し、制御部７００が着座信号を受信することにより、本体２００の操作スイッチ２４１およびリモートコントローラの操作スイッチ３０１により洗浄機能の操作が可能となる。
【００６３】
また、制御部７００は脱臭装置６００の送風機６３０の駆動を開始し、便器１１０内の空気を吸気口６１１から矢印Ｄ１に示すようにダクト６１０内に吸引し、ダクト内を矢印Ｄ２の方向に進み、矢印Ｄ３で示すように脱臭体６２０のハニカム孔を通過し、矢印Ｄ４で示すように送風機６３０の吸引口から送風機６３０内に吸引され、送風機６３０から吐出された空気は矢印Ｄ５で示すように本体２００の底板に設けられた排気口６１２から下方に向かって排出される。排出された空気は本体２００の底板と便器１１０の上面に形成された間隙を通過して、本体２００の後方に排気される。
【００６４】
この間、脱臭装置６００に吸引された臭気物質を含んだ空気は、脱臭体６２０のハニカム孔を通過する間に、臭気物質がハニカム孔の孔壁に吸着され、脱臭体６２０の触媒作用により臭気物質が分解除去され、脱臭体６２０を通過後の空気は臭気物質を除去されたほとんど無臭状態となり、排気口６１２からトイレルーム内に放出される。
【００６５】
上記のように、用便中に便器１１０内で発生する臭気物質のほとんどは、脱臭装置６００により分解除去されトイレルーム全体の臭気が拡散されることを効果的に抑制することができる。
【００６６】
使用者が用便を終了し、洗浄手段により局部の洗浄を終了した後に便座２２０から立ち上がり、トイレルームから退出して人体検知センサ３１０が人体の検知を終了してから、所定時間経過後（例えば１分後）に、制御部７００は脱臭装置６００の駆動を停止するとともに静電霧化装置の８００の駆動を開始する。
【００６７】
制御部７００が所定の設定条件により静電霧化装置８００の駆動を開始させると、送風機８２０と、ペルチェ素子８３５と、霧化電極８３２と、対極電極８３３への通電が開始される。
【００６８】
送風機８２０は、本体２００の袖部２４０の底部に設けられた吸気口８１１からフィルタ８５０を介してトイレルーム内の空気を吸引して静電霧化ユニット８３０に向けて送風する。矢印Ｅ１で示すように吸気口８１１から吸引された空気は、矢印Ｅ２で示すように障壁８１２ａ、８１２ｂ、９１２ｃの隙間を通過して矢印Ｅ３で示すように送風機８２０の吸気口から吸引される。
【００６９】
図６に示すように、矢印Ｅ４に示すように送風機８２０から静電霧化ユニット８３０に向けて送風された空気は、一部はペルチェ素子８３５の冷却基板８３５ａと霧化電極８３２と対極電極８３３の低温部とへ向かって送風される。また一部の空気は静電霧化ユニット８３０の放熱フィン８３６を通過して放熱フィン８３６の放熱により昇温される。静電霧化ユニット８３０を通過した空気は矢印Ｅ５で示すように吐出ダクトスペース８１５の障壁８１５ａ、８１５ｂの隙間を通過して下方に送風され、吐出ダクトスペース８１５の底部に設置された点検蓋８４０の風向変更部８４３により前方に風向が変更されて吐出口８１６よりルーバ８５１を介してトイレルーム内に放出される。
【００７０】
静電霧化ユニット８３０の低温部に送給された空気はペルチェ素子８３５の冷却基板８３５ａに接することにより空気中の水分が結露し結露水が生成される。生成された結露水は霧化電極８３２の表面に送給され、霧化電極８３２と対極電極８３３間に約３５００Ｖの高電圧を印加することで、結露水にレイリー分裂を生じさせ、ナノメートルサイズの帯電微粒子水が発生する。すなわち、静電霧化ユニット８３０を通過後の空気は、ナノメートルサイズの帯電微粒子水が含まれたものであり、吐出口８１６よりトイレルーム内に帯電微粒子水が放出される。
【００７１】
吐出口８１６より放出された帯電微粒子水はトイレルーム空間に飛散してトイレルーム内に浮遊する臭気物質や、壁面や天井面や床面等に付着する。帯電微粒子水はナノメータサイズと非常に小さく壁表面の細孔内部に入り込むことが可能であることから壁表面に付着した臭気物質やカビ類に対しても脱臭効果や防カビ効果が得られるのである。
【００７２】
特に、ナノメータサイズの帯電微粒子水は、アンモニア、アセトアルデヒド、酢酸、メタン、一酸化炭素、一酸化窒素、ホルムアルデヒド等の臭気物質の分解除去と各種菌類への殺菌効果を備えており、トイレルーム内に浮遊および壁面や床面に付着した臭気物質や菌類に対して脱臭と除菌および殺菌の効果を発揮することができる。
【００７３】
また、使用者が便座２２０に着座しない男子小用の場合は、脱臭装置６００は駆動されないが、使用者のトイレルームからの退室後は、人体検知センサ３１０が人体の検知を終了した直後から、静電霧化装置８００は駆動を開始し、所定時間後に停止する。
【００７４】
一方、男子小用時の異常動作や子供のいたずらにより、便器１１０の外部に放尿された場合、特に静電霧化装置８００の吐出口８１６は便器１１０の上面より低い位置に配置されているため、小便がルーバ８５１を介して吐出口８１６よりケース８１０の内部に侵入し吐出口８１６の近傍に付着して大量の臭気物質で汚染されることがある。
【００７５】
このような異常使用がなされ大量の臭気物質が蓄積された場合、静電霧化装置８００の通常の機能では短時間に分解することが難しいため、点検蓋８４０を取り外して点検蓋８４０を洗浄するとともに、点検開口８１７より吐出口８１６近傍のケース８１０の内部を清掃し、静電霧化装置８００の機能を維持することができる。
【００７６】
上記のように、本実施の形態における衛生洗浄装置は、使用者が便座に着座する用便および洗浄動作中は便器内の臭気を脱臭装置により脱臭することにより、トイレルーム全体に悪臭が拡散することを抑制し、トイレルームの不使用時には静電霧化装置により帯電微粒子水をトイレルーム空間に放散することにより、トイレルーム空間に浮遊している臭気物質や、壁面、天井面、床面に付着している臭気物質を分解して臭気を除去することができるとともに、トイレルーム内の各種菌類の除菌および殺菌することにより、トイレルーム内の臭気を長期間に亘り抑制して衛生的に維持することができるものである。
【００７７】
また、排便時の異常動作により静電霧化装置が汚染された場合、点検蓋を取り外して清掃することにより静電霧化装置の機能を維持することができるものである。
【産業上の利用可能性】
【００７８】
以上のように、本発明にかかる衛生洗浄装置は発生直後の臭気物質と蓄積された臭気物質の脱臭と機器本体の臭気発生を抑制することが可能となるので、衛生洗浄装置以外の脱臭装置等の用途にも適用できる。
【符号の説明】
【００７９】
１００  衛生洗浄装置
１１０  便器
２００  本体
２２０  便座
４００  洗浄ノズルユニット（洗浄手段）
４５０  洗浄水供給機構（洗浄手段）
４６０  熱交換器（洗浄手段）
８００  静電霧化装置
８１０  ケース
８１１  吸気口
８１６  吐出口
８２０  送風機
８３０  静電霧化ユニット
８４０  点検蓋
８４３  風向変更部
【図１】
0005810277.tif 000002
【図２】
0005810277.tif 000003
【図３】
0005810277.tif 000004
【図４】
0005810277.tif 000005
【図５】
0005810277.tif 000006
【図６】
0005810277.tif 000007
【図７】
0005810277.tif 000008
【図８】
0005810277.tif 000009